(57)【要約】【課題】蜂蜜を家庭用に保存する保存ガラス瓶の底部近傍に使用しながら残存する固形結晶化し粘性流動性が悪化した該蜂蜜を，容易に取り出せる事を特徴とする家庭用蜂蜜保存ガラス瓶を提供すること。【解決手段】所定の筒外径を有する筒形状ガラス瓶1 の両端部に，それぞれ第１の開口部1a及び第２の開口部1a′を設け，両各該開口部には，開閉自在に密閉機能を有する，第１の密閉式蓋部材2aと第２の密閉式蓋部材2a′とを装備し，そして該各密閉式蓋部材とも，それぞれ外部に第１の蓋平坦部2bと第２の蓋平坦部2b′とを有し，該筒形状ガラス瓶内部に蜂蜜3 を充填し，両該密閉式蓋部材を密閉して該蜂蜜を家庭内で保存する家庭用蜂蜜保存ガラス瓶を確保する。【選択図】      図１
0003102291.tif 000002
【実用新案登録請求の範囲】
【請求項１】
所定の筒外径を有する筒形状ガラス瓶（１）の両端部に，それぞれ第１の開口部（１ａ）及び第２の開口部（１ａ′）を設け，両各該開口部には，開閉自在に密閉機能を有する，第１の密閉式蓋部材（２ａ）と第２の密閉式蓋部材（２ａ′）とを装備し，そして該各密閉式蓋部材とも，それぞれ外部に第１の蓋平坦部（２ｂ）と第２の蓋平坦部（２ｂ′）とを有し，該筒形状ガラス瓶内部に蜂蜜（３）を充填し，両該密閉式蓋部材を密閉して該蜂蜜を家庭内で保存する家庭用蜂蜜保存ガラス瓶であって，該各蓋平坦部の外径は，床面（４）に置き自立する機能を有する寸法とし，そして該蜂蜜を使用しつつ保存中に，該筒形状ガラス瓶の底部近傍に残存する固形結晶化し粘性流動性が悪化した該蜂蜜を，該床面に面した該密閉式蓋部材を開ける事により，容易に取り出せる事を特徴とする家庭用蜂蜜保存ガラス瓶。
【考案の詳細な説明】
【技術分野】
【０００１】
本考案は，蜂蜜を家庭用に保存する保存ガラス瓶の底部近傍に使用しながら残存する固形結晶化し粘性流動性が悪化した該蜂蜜を，該保存ガラス瓶の上下に設けた二つの密閉式蓋部材の下側を開ける事により，容易に取り出せる事を特徴とする家庭用蜂蜜保存ガラス瓶に関する。
【背景技術】
【０００２】
従来の家庭用蜂蜜保存ガラス瓶は，図２に示すように，所定の筒外径を有する筒形状ガラス瓶（１）の上部に位置する，ただ一つの第１の開口部（１ａ）を設け，一方，下部は閉鎖した瓶底（１ｂ）とし，該開口部には，開閉自在に密閉機能を有する，第１の密閉式蓋部材（２ａ）を装備し，該筒形状ガラス瓶内部に蜂蜜（３）を充填し，該密閉式蓋部材を密閉して該蜂蜜を家庭内で保存する家庭用蜂蜜保存ガラス瓶が主流であって，平坦部を有する該瓶底を，床面（４）に置き自立して使用しながら保存していた。
【０００３】
しかし，上記の従来の家庭用蜂蜜保存ガラス瓶を用いると，蜂蜜の主成分である  葡萄糖等により，低温条件等も重なると，固形結晶化し粘性流動性が悪化する特性を有し，特に該蜂蜜を使用しつつ保存中に，該筒形状ガラス瓶の瓶底（１ｂ）近傍に残存する固形結晶化し粘性流動性が悪化した該蜂蜜を，上部に位置する第１の開口部（１ａ）から第１の密閉式蓋部材（２ａ）を開けて，該瓶底に溜まった粘性流動性が悪化した該蜂蜜を，長い柄を持つサジ等で取り出すにしても時間がかかり，困難である欠点を有していた。
【０００４】
またしかし，従来の家庭用蜂蜜保存ガラス瓶を用い，瓶底（１ｂ）近傍に残存する固形結晶化し粘性流動性が悪化した該蜂蜜を，溶かすには，瓶底（１ｂ）を湯で温める湯せん方式が提案されてはいるが，温度調節等，溶かすのに手間がかかる欠点を有していた（特許文献１を参照）。
【特許文献１】実開昭５７−７４２９６号公報
【考案の開示】
【考案が解決しようとする課題】
【０００５】
解決しようとする問題点は，瓶底近傍に残存する固形結晶化し粘性流動性が悪化した該蜂蜜を，容易に取り出せる，家庭用蜂蜜保存ガラス瓶を確保する点である。
【課題を解決するための手段】
【０００６】
本考案の家庭用蜂蜜保存ガラス瓶は，筒形状ガラス瓶の両端部に，それぞれ第１の開口部及び第２の開口部を設け，両各該開口部には，開閉自在に密閉機能を有する，第１の密閉式蓋部材と第２の密閉式蓋部材とを装備し，該筒形状ガラス瓶内部に蜂蜜を充填し，そして該各密閉式蓋部材とも，それぞれ外部に床面に置き自立する機能を有する第１の蓋平坦部と第２の蓋平坦部とを持つ事を特徴とする。
【考案の効果】
【０００７】
本考案の家庭用蜂蜜保存ガラス瓶は，筒形状ガラス瓶の両端部に，それぞれ第１の開口部及び第２の開口部を設け，両各該開口部には，開閉自在に密閉機能を有する，第１の密閉式蓋部材と第２の密閉式蓋部材とを装備しているので，蜂蜜を使用しつつ保存中に，該筒形状ガラス瓶の底部近傍に残存する固形結晶化し粘性流動性が悪化した該蜂蜜を，該床面に面した該密閉式蓋部材を開ける事により，普通のサジ等で容易に取り出せる利点がある。
【０００８】
本考案の家庭用蜂蜜保存ガラス瓶は，第１の密閉式蓋部材と第２の密閉式蓋部材とを装備し，そして該各密閉式蓋部材とも，それぞれ外部に，床面に置き自立する機能を有する第１の蓋平坦部と第２の蓋平坦部とを有するので，どちらかの該密閉式蓋部材を下側にして，該床面に置き自立して安定に保存できる利点がある。
【０００９】
本考案の家庭用蜂蜜保存ガラス瓶は，蜂蜜の家庭用の保存だけでなく，ケチャップ，各種のジャム，糊等の保存ガラス瓶として用いることができる利点がある。
【考案を実施するための最良の形態】
【００１０】
本考案の家庭用蜂蜜保存ガラス瓶は，所定の筒外径を有する筒形状ガラス瓶の両端部に，それぞれ第１の開口部及び第２の開口部を設け，両各該開口部には，開閉自在に密閉機能を有する，第１の密閉式蓋部材と第２の密閉式蓋部材とを装備し，そして該各密閉式蓋部材とも，それぞれ外部に第１の蓋平坦部と第２の蓋平坦部とを有し，該筒形状ガラス瓶内部に蜂蜜を充填し，両該密閉式蓋部材を密閉して該蜂蜜を家庭内で保存する家庭用蜂蜜保存ガラス瓶であって，該各蓋平坦部の外径は，床面に置き自立する機能を有する寸法とし，そして該蜂蜜を使用しつつ保存中に，該筒形状ガラス瓶の底部近傍に残存する固形結晶化し粘性流動性が悪化した該蜂蜜を，該床面に面した該密閉式蓋部材を開ける事により，容易に取り出せる事を特徴とする。
【００１１】
本考案の家庭用蜂蜜保存ガラス瓶において，筒形状ガラス瓶は，少なくとも充填した蜂蜜の減少程度が外部から見れる程度の透明度を有する事を特徴とする。
【００１２】
本考案の家庭用蜂蜜保存ガラス瓶において，第１の密閉式蓋部材と第２の密閉式蓋部材とは，それぞれ容易に開閉自在な金属製ネジ形の密閉式を推奨し，また第１の蓋平坦部と第２の蓋平坦部との外径は，筒形状ガラス瓶の外径近傍の寸法とする事を推奨する。
【実施例】
【００１３】
図１は，本考案の家庭用蜂蜜保存ガラス瓶の使用状態を示す，立面視概略説明図である。
【００１４】
本考案の実施例の家庭用蜂蜜保存ガラス瓶は，図１に示すように，所定の筒外径を有する筒形状ガラス瓶（１）の両端部に，それぞれ第１の開口部（１ａ）及び第２の開口部（１ａ′）を設け，両各該開口部には，開閉自在に密閉機能を有する，第１の密閉式蓋部材（２ａ）と第２の密閉式蓋部材（２ａ′）とを装備し，そして該各密閉式蓋部材とも，それぞれ外部に第１の蓋平坦部（２ｂ）と第２の蓋平坦部（２ｂ′）とを有し，該筒形状ガラス瓶内部に蜂蜜（３）を充填し，両該密閉式蓋部材を密閉して該蜂蜜を家庭内で保存する家庭用蜂蜜保存ガラス瓶であって，該各蓋平坦部の外径は，床面（４）に置き自立する機能を有する寸法とし，そして該蜂蜜を使用しつつ保存中に，該筒形状ガラス瓶の底部近傍に残存する固形結晶化し粘性流動性が悪化した該蜂蜜を，該床面に面した該密閉式蓋部材を開ける事により，容易に取り出せる事を特徴とする。
【００１５】
本考案の実施例の家庭用蜂蜜保存ガラス瓶において，筒形状ガラス瓶（１）は，少なくとも充填した蜂蜜（３）の減少程度が外部から見れる程度の透明度を有する事を特徴とする。
【００１６】
本考案の実施例の家庭用蜂蜜保存ガラス瓶において，第１の密閉式蓋部材（２ａ）と第２の密閉式蓋部材（２ａ′）とは，それぞれ容易に開閉自在な金属製ネジ形の密閉式を採用し，また第１の蓋平坦部（２ｂ）と第２の蓋平坦部（２ｂ′）との外径は，筒形状ガラス瓶（１）の外径近傍の寸法を採用した。
【００１７】
本考案の実施例の家庭用蜂蜜保存ガラス瓶において，筒形状ガラス瓶（１）の外径寸法を約９ｃｍ，高さ：約２０ｃｍ，そして第１の蓋平坦部（２ｂ）と第２の蓋平坦部（２ｂ′）との外径を約７ｃｍを採用した。
【図面の簡単な説明】
【００１８】
【図１】本考案の家庭用蜂蜜保存ガラス瓶の使用状態を示す，立面視概略説明図である。（実施例）
【図２】従来技術による家庭用蜂蜜保存ガラス瓶の使用状態を示す，立面視概略説明図である。
【符号の説明】
【００１９】
１      筒形状ガラス瓶
１ａ    第１の開口部
１ａ′  第２の開口部
１ｂ    瓶底
２ａ    第１の密閉式蓋部材
２ｂ    第１の蓋平坦部
２ａ′  第２の密閉式蓋部材
２ｂ′  第２の蓋平坦部
３      蜂蜜
４      床面
【図１】
0003102291.tif 000003
【図２】
0003102291.tif 000004